(57)【要約】【課題】一対の検出装置間の位置関係に応じて接続線をスムーズに変形させることができ、且つ検出装置への記録媒体の装着を容易に行うことができる情報入力装置を提供する。【解決手段】検出装置２Ｌと検出装置２Ｒを接続するハーネス５０は、折り畳み部５３において後カバー９Ｌの開口部９１を通り、検出装置２Ｒの外部から内部に進入する。開口部９１の周囲に形成された凹部９６内に、緊張部材６０が設けられる。緊張部材６０の案内部材６１は、折り畳み部５３の屈曲部５３Ａの内周側に配置される。案内部材６１に回転可能に外嵌めされた筒部材６５は、屈曲部５３Ａの内周面に当接し、検出装置２Ｌと検出装置２Ｒとが離間または近接する時に、折り畳み部５３における無端ベルト状の回動を補助する。また、案内部材６１の両端が引張部材６２によって左方に付勢されるので、折り畳み部５３は、伸びた状態に維持される。【選択図】図５
2016146006.tif 000002
【特許請求の範囲】
【請求項１】
一対の表紙と、前記一対の表紙の間に重ねて配置された複数枚の用紙とが、各々の縁部の一部で綴じられた冊子状の記録媒体上で、筆記具によって入力される情報を取得可能な情報入力装置であって、
第一検出面を有し、前記第一検出面に近接する前記筆記具の位置を検出可能な板状体であって、前記一対の表紙のうちの第一表紙の紙面略全体と対向配置可能な第一検出装置と、
第二検出面を有し、前記第二検出面に近接する前記筆記具の位置を検出可能な板状体であって、前記一対の表紙のうちの第二表紙の紙面略全体と対向配置可能な第二検出装置と、
前記第一検出装置と前記第二検出装置とを連結する連結部材であって、
前記第一検出装置の前記第一検出面とは反対側の面である第一裏面に対向配置され、前記第一検出装置を保持する第一保持部と、
前記第二検出装置の前記第二検出面とは反対側の面である第二裏面に対向配置され、前記第二検出装置を前記第一検出装置に対して近接する方向および離間する方向へ相対的に移動可能に保持する第二保持部と、
前記第一保持部と前記第二保持部とを連結し、少なくとも前記第一検出面と前記第二検出面とが近接し且つ対向する向きに折り曲げ可能な折曲部と
を有する連結部材と、
可撓性を有する絶縁フィルム上に形成された複数の導電路を含み、前記第一検出装置に設けられた第一回路部と、前記第二検出装置に設けられた第二回路部とを電気的に接続する接続線であって、
前記第一裏面と前記第一保持部と間に配置され、前記第一回路部に電気的に接続する端子部を含む第一接続部と、
前記第一接続部に接続し、前記第一検出装置と前記第二検出装置の間で延びる中間部と、
前記中間部に接続し、前記第二裏面と前記第二保持部の間に配置され、前記中間部の延びる方向と直交し且つ前記第二検出装置と前記第二保持部とが向き合う方向と直交する方向を軸に屈曲する屈曲部で折り返し、前記第二検出装置と前記第二保持部の間で二層に重なる折り畳み部と、
前記折り畳み部に接続し、前記第二回路部に電気的に接続する端子部を含む第二接続部と
を有する接続線と、
前記接続線の前記折り畳み部を張った状態に維持する緊張部材であって、
前記折り畳み部の前記屈曲部における屈曲の内周側に配置され、前記屈曲部の屈曲を案内する案内部と、
前記中間部の延びる方向のうち前記中間部から離れる方向に前記案内部を付勢する付勢部と
を有する緊張部材と
を備えたことを特徴とする情報入力装置。
【請求項２】
前記案内部は、前記屈曲部における屈曲の軸に沿って延びる円柱状の棒材であり、
前記付勢部は、前記棒材の両端を夫々前記中間部の延びる方向のうち前記中間部から離れる方向に付勢するバネ材であること
を特徴とする請求項１に記載の情報入力装置。
【請求項３】
前記緊張部材は、前記屈曲部における屈曲の軸に沿って延び、径方向に弾性的に撓むことで、前記案内部を前記中間部の延びる方向のうち前記中間部から離れる方向に付勢する円柱状の棒材を備え、
前記案内部は、前記棒材の部位のうち、前記屈曲部に対向する部位であり、
前記付勢部は、前記棒材の部位のうち、前記案内部の両端で撓み、前記案内部に付勢力を付与する部位であること
を特徴とする請求項１に記載の情報入力装置。
【請求項４】
前記緊張部材は、前記案内部に、前記棒材の径方向周囲を取り囲む筒状で、前記棒材に対して回転可能な筒部材を備えたことを特徴とする請求項２または３に記載の情報入力装置。
【発明の詳細な説明】
【技術分野】
【０００１】
本発明は、複数枚の用紙が綴じられた冊子状の記録媒体上で入力される情報を取得可能な情報入力装置に関する。
【背景技術】
【０００２】
紙媒体に記入される情報を電子化して保管および管理する技術が知られている。例えば特許文献１に記載の情報入力装置は、間で二つ折り可能な一対のデジタイザを備え、夫々にノートの一対の表紙を装着することができる。情報入力装置は、専用ペンでノートに記入された手書きのコンテンツを、デジタイザによって画像データとして読み込む。
【０００３】
ノートの開閉時に回動の内周側に位置する一対の表紙間の位置関係と、外周側に位置する一対のデジタイザ間の位置関係は、ノートを開いた時と閉じた時とで異なる。特許文献１の情報入力装置は、ノートの表紙の折れ曲がりを抑制するため、ノートの開閉に合わせて一対のデジタイザ間の位置関係を変更できる。一対のデジタイザ間を電気的に接続するハーネスは、二層に重なって折り畳まれた状態で配線される折り畳み部分を有する。折り畳み部分のうち、ハーネスの伸びる方向が変化する部位であり、二層間で１８０度曲がって折返す屈曲部は、ホルダ内に配置される。一対のデジタイザ間の位置関係が変化する場合、屈曲部は、ホルダ内で円弧状に維持されたまま、無限軌道ベルトのように変形することができる。この構成によってハーネスは、折り畳み部分が無限軌道ベルト状に回動し、一対のデジタイザ間の位置関係の変化に追従することができる。
【先行技術文献】
【特許文献】
【０００４】
【特許文献１】特開２０１４−２１１７７２号公報
【発明の概要】
【発明が解決しようとする課題】
【０００５】
しかしながら、一対のデジタイザが互いに近接する場合、折り畳み部分における一方の層が、ホルダ内で屈曲部へ向けて押圧される。折り畳み部分が屈曲部以外の部分で折れ曲がった場合、ハーネスは、一対のデジタイザ間の位置関係の変化に対する追従性が低下する可能性があった。また、一対のデジタイザ間の相対的な位置関係がデジタイザへのノートの装着途中でずれると、ユーザがノートを装着しにくくなる場合があった。
【０００６】
本発明は、一対の検出装置間の位置関係に応じて接続線をスムーズに変形させることができ、且つ検出装置への記録媒体の装着を容易に行うことができる情報入力装置を提供することを目的とする。
【課題を解決するための手段】
【０００７】
本発明の態様によれば、一対の表紙と、前記一対の表紙の間に重ねて配置された複数枚の用紙とが、各々の縁部の一部で綴じられた冊子状の記録媒体上で、筆記具によって入力される情報を取得可能な情報入力装置であって、第一検出面を有し、前記第一検出面に近接する前記筆記具の位置を検出可能な板状体であって、前記一対の表紙のうちの第一表紙の紙面略全体と対向配置可能な第一検出装置と、第二検出面を有し、前記第二検出面に近接する前記筆記具の位置を検出可能な板状体であって、前記一対の表紙のうちの第二表紙の紙面略全体と対向配置可能な第二検出装置と、前記第一検出装置と前記第二検出装置とを連結する連結部材であって、前記第一検出装置の前記第一検出面とは反対側の面である第一裏面に対向配置され、前記第一検出装置を保持する第一保持部と、前記第二検出装置の前記第二検出面とは反対側の面である第二裏面に対向配置され、前記第二検出装置を前記第一検出装置に対して近接する方向および離間する方向へ相対的に移動可能に保持する第二保持部と、前記第一保持部と前記第二保持部とを連結し、少なくとも前記第一検出面と前記第二検出面とが近接し且つ対向する向きに折り曲げ可能な折曲部とを有する連結部材と、可撓性を有する絶縁フィルム上に形成された複数の導電路を含み、前記第一検出装置に設けられた第一回路部と、前記第二検出装置に設けられた第二回路部とを電気的に接続する接続線であって、前記第一裏面と前記第一保持部と間に配置され、前記第一回路部に電気的に接続する端子部を含む第一接続部と、前記第一接続部に接続し、前記第一検出装置と前記第二検出装置の間で延びる中間部と、前記中間部に接続し、前記第二裏面と前記第二保持部の間に配置され、前記中間部の延びる方向と直交し且つ前記第二検出装置と前記第二保持部とが向き合う方向と直交する方向を軸に屈曲する屈曲部で折り返し、前記第二検出装置と前記第二保持部の間で二層に重なる折り畳み部と、前記折り畳み部に接続し、前記第二回路部に電気的に接続する端子部を含む第二接続部とを有する接続線と、前記接続線の前記折り畳み部を張った状態に維持する緊張部材であって、前記折り畳み部の前記屈曲部における屈曲の内周側に配置され、前記屈曲部の屈曲を案内する案内部と、前記中間部の延びる方向のうち前記中間部から離れる方向に前記案内部を付勢する付勢部とを有する緊張部材とを備えたことを特徴とする情報入力装置が提供される。
【０００８】
緊張部材は、案内部で接続線の折り畳み部の屈曲を案内しながら、付勢部で案内部を付勢することで、折り畳み部を中間部の延びる方向に張った状態に維持することができる。折り畳み部は、屈曲部において折り返されるように案内部によって案内され、屈曲部以外で屈曲することが抑制される。従って情報入力装置は、接続線が屈曲部以外で屈曲したり、第二検出装置と第二保持部の間で挟まれたり引っ掛かったりすることを防止でき、第一検出装置と第二検出装置の近接および離間をスムーズに行うことができる。
【０００９】
また、屈曲部は、緊張部材によって、中間部の延びる方向のうち中間部から離れる方向に付勢される。即ち、中間部を挟んで折り畳み部とは反対側の第一接続部に接続する第一検出装置は、緊張部材によって、接続線を介して第二検出装置に引きつけられる方向に付勢される。このため、例えば第一検出装置の第一検出面に記録媒体の第一表紙を配置する途中において、第一検出面が第二検出装置に対して移動してしまい、第一表紙の位置決めがしにくくなることがない。
【００１０】
本態様において、前記案内部は、前記屈曲部における屈曲の軸に沿って延びる円柱状の棒材であってもよい。前記付勢部は、前記棒材の両端を夫々前記中間部の延びる方向のうち前記中間部から離れる方向に付勢するバネ材であってもよい。案内部が円柱状であるので、屈曲部は、屈曲の内周側の面を案内部の外周面に案内させて円弧状を維持しながらスムーズに変形することができる。よって接続線は、折り畳み部分において無限軌道ベルト状にスムーズに回動でき、第一検出装置と第二検出装置の近接および離間に応じた変形の追従性を確保できる。従って情報入力装置は、第一検出装置と第二検出装置の近接および離間をスムーズに行うことができる。
【００１１】
本態様において、前記緊張部材は、前記屈曲部における屈曲の軸に沿って延び、径方向に弾性的に撓むことで、前記案内部を前記中間部の延びる方向のうち前記中間部から離れる方向に付勢する円柱状の棒材を備えてもよい。前記案内部は、前記棒材の部位のうち、前記屈曲部に対向する部位であってもよい。前記付勢部は、前記棒材の部位のうち、前記案内部の両端で撓み、前記案内部に付勢力を付与する部位であってもよい。案内部が円柱状であるので、屈曲部は、屈曲の内周側の面を案内部の外周面に案内させて円弧状を維持しながらスムーズに変形することができる。よって接続線は、折り畳み部分において無限軌道ベルト状にスムーズに回動でき、第一検出装置と第二検出装置の近接および離間に応じた変形の追従性を確保できる。従って情報入力装置は、第一検出装置と第二検出装置の近接および離間をスムーズに行うことができる。また、案内部と付勢部を一部材で作製できる。
【００１２】
本態様において、前記緊張部材は、前記案内部に、前記棒材の径方向周囲を取り囲む筒状で、前記棒材に対して回転可能な筒部材を備えてもよい。筒部材は、屈曲部における屈曲の内周側の面に当接し、棒材の径方向周囲を回転することができる。この構成によって、屈曲部は、案内部との摩擦が少ないので、円弧状を維持しながらスムーズに変形することができる。よって接続線は、折り畳み部分において無限軌道ベルト状にスムーズに回動でき、第一検出装置と第二検出装置の近接および離間に応じた変形の追従性を確保できる。従って情報入力装置は、第一検出装置と第二検出装置の近接および離間をスムーズに行うことができる。
【図面の簡単な説明】
【００１３】
【図１】情報入力装置１の全体構成図である。
【図２】ノート５が装着され、開かれた状態の情報入力装置１の斜視図である。
【図３】開かれた状態の外装カバー４の正面図である。
【図４】検出装置２Ｌ，２Ｒの分解斜視図である。
【図５】後カバー９Ｌに組み付けられた状態の緊張部材６０とハーネス５０の斜視図である。
【図６】検出装置２Ｌ，２Ｒが近接状態にある時に、図５の一点鎖線Ｉ−Ｉの位置で矢視方向に見た検出装置２Ｌの断面図である。
【図７】検出装置２Ｌ，２Ｒが離間状態にある時に、図５の一点鎖線Ｉ−Ｉの位置で矢視方向に見た検出装置２Ｌの断面図である。
【図８】後カバー９Ｌに組み付けられた状態の緊張部材１６０とハーネス５０の斜視図である。
【発明を実施するための形態】
【００１４】
以下、実施形態について、図面を参照して説明する。まず、図１〜図３を参照し、本実施形態に係る情報入力装置１について説明する。以下の説明では、図２の上側、下側、左上側、右下側、右上側、左下側を、夫々、情報入力装置１の前側、後側、左側、右側、上側、下側と定義する。情報入力装置１の構成要素である外装カバー４と検出装置２Ｌ，２Ｒの方向は、便宜上、情報入力装置１が組み立てられた状態を基準に、情報入力装置１の方向に倣って定義する。同様に、情報入力装置１に装着するノート５の方向は、便宜上、ノート５が情報入力装置１に装着された状態を基準に、情報入力装置１の方向に倣って定義する。図１は、情報入力装置１が開閉される途中の状態を示す。図２は、情報入力装置１が開かれた状態を示す。
【００１５】
図１に示すように、情報入力装置１は、ユーザが携行可能なタブレット型の手書き入力装置である。情報入力装置１は、外装カバー４に、２つの板状の検出装置２Ｌ，２Ｒが組み付けられた状態で提供される。外装カバー４は、前側を見開き面側として左右方向に折り畳み（つまり、二つ折り）可能に構成される。外装カバー４は、左カバー部４Ｌおよび右カバー部４Ｒを含む。検出装置２Ｌは左カバー部４Ｌに配置され、検出装置２Ｒは右カバー部４Ｒに配置される。ユーザは、冊子状の記録媒体、例えばノート５を検出装置２Ｌ，２Ｒに装着し、電子ペン６でノート５に情報を記入する。情報入力装置１は、検出装置２Ｌ，２Ｒを用いて、ノート５に記入された情報を読み取ることができる。電子ペン６は、ノート５にインクで情報（文字、記号、図形、数字等）を記入可能、且つ、記入された情報を検出装置２Ｌ，２Ｒに入力可能な筆記具である。本実施形態の電子ペン６は、内部に、周知の共振（同調）回路を構成する可変容量コンデンサ、コイル等（図示略）を備える。検出装置２Ｌ，２Ｒは、公知の電磁誘導方式で、電子ペン６が近接した時、電子ペン６の位置を検出可能である。
【００１６】
図１、図２に示すように、検出装置２Ｌ，２Ｒは、前面にノート５を固定可能に構成される。具体的には、検出装置２Ｌ，２Ｒは、前面に、ノート５の左右の表紙５Ｌ，５Ｒを固定する際の位置決めを担う凹状の位置決め部２１Ｌ，２１Ｒを夫々有する。位置決め部２１Ｌは、上方、左方および下方に段差を有し、右方には段差を有しない。位置決め部２１Ｌの上方、左方および下方の段差は、ノート５の左表紙５Ｌの上方、左方および下方の縁部に接触することで、ノート５を検出装置２Ｌに対して位置決めする。位置決め部２１Ｌは、凹部内で右辺近傍位置に、微粘着性の接着部２２Ｌ（図１参照）を有する。接着部２２Ｌは、ノート５の左表紙５Ｌを、容易に剥離可能な状態で、位置決め部２１Ｌに接着固定する。位置決め部２１Ｒは、上方、右方および下方に段差を有し、左方には段差を有しない。位置決め部２１Ｒの上方、右方および下方の段差は、ノート５の右表紙５Ｒの上方、右方および下方の縁部に接触することで、ノート５を検出装置２Ｒに対して位置決めする。位置決め部２１Ｒは、凹部内で左辺近傍位置に微粘着性の接着部２２Ｒ（図１参照）を有する。接着部２２Ｒは、ノート５の右表紙５Ｒを、容易に剥離可能な状態で、位置決め部２１Ｒに接着固定する。
【００１７】
図３に示すように、外装カバー４は、折り曲げられていない状態では、左右方向に長い矩形状の板状体である。外装カバー４は、検出装置２Ｌを保持する左カバー部４Ｌと、検出装置２Ｒを固定する右カバー部４Ｒと、左カバー部４Ｌと右カバー部４Ｒとを左右中央で連結する折曲部４Ｃとを含む。外装カバー４は、外力に応じて変形可能な柔軟性を有する素材（例えば合成皮革またはナイロン）で作製される。折曲部４Ｃは、上下方向に延びる軸線ＡＸ（図１参照）に沿って、前面を内側にして折り曲げることができる。即ち、外装カバー４は、折曲部４Ｃを折り曲げることで、検出装置２Ｌと検出装置２Ｒとが対向する向きに折り畳むことができる。
【００１８】
外装カバー４は、右カバー部４Ｒに、検出装置２Ｒを固定するための固定シート４１Ｒを有する。固定シート４１Ｒは、上辺、右辺および下辺の三辺が外装カバー４の縁部４５に織り込まれ、左辺が折曲部４Ｃに織り込まれることで、外装カバー４に固定される。検出装置２Ｒは、例えば両面粘着テープ等で後面２６Ｒ（図４参照）が固定シート４１Ｒに接着されることで、外装カバー４に固定される。固定シート４１Ｒは中央部に開口４２を有する。検出装置２Ｒの後面２６Ｒは、バッテリの装着部（図示略）を有する。バッテリの装着部は、開口４２内に配置される。図示しないが、外装カバー４は後面に、面ファスナーを用いて開閉可能なカバー体（図示略）を備える。ユーザは、カバー体を開くことで、検出装置２Ｒを外装カバー４から取り外さなくてもバッテリ（図示略）交換が可能である。
【００１９】
外装カバー４は、左カバー部４Ｌに、検出装置２Ｌを保持する保持シート４１Ｌを有する。保持シート４１Ｌは、例えば透明の軟質塩化ビニールシートである。保持シート４１Ｌは、上辺、左辺および下辺の三辺が外装カバー４の縁部４５に織り込まれ、右辺は開放される。検出装置２Ｌは、保持シート４１Ｌの右辺側から保持シート４１Ｌと外装カバー４の本体部との間に挿入される。検出装置２Ｌは、右端部が保持シート４１Ｌの右辺から右方に突出した状態で、保持シート４１Ｌに保持される。
【００２０】
検出装置２Ｌの後面２６Ｌ（図４参照）には、スライダ８０（図３参照）が設けられる。スライダ８０は、基部と取付部（図示略）を備える。基部は、検出装置２Ｌの後面２６Ｌで、上下方向の略中央の位置に固定される。取付部は、基部に対して左右方向にスライド可能に構成される。即ち、検出装置２Ｌとスライダ８０の取付部は、相対的に、左右方向にスライド可能である。外装カバー４の左カバー部４Ｌには、左右方向に並んで２つの鳩目穴４３が形成される。スライダ８０の取付部の後面には、２つの鳩目穴４３に夫々係合する２つの突起部８１が設けられる。突起部８１が鳩目穴４３に係合することによって、スライダ８０が左カバー部４Ｌに固定される。検出装置２Ｌは、外装カバー４の左カバー部４Ｌに対して左右方向にスライド可能な状態で、保持シート４１Ｌに保持される。
【００２１】
外装カバー４は、折曲部４Ｃの前面側に、上下方向に延び、折曲部４Ｃを覆う太幅の帯状体４４を備える。帯状体４４は、上下に張られた状態で、上下両端が外装カバー４の上下の縁部４５に夫々織り込まれる。帯状体４４は、折曲部４Ｃの前面との間に間隙を有する。後述するが、検出装置２Ｌ，２Ｒを接続するハーネス５０は、帯状体４４と折曲部４Ｃの前面との間に通される。外装カバー４が開いた状態の時、帯状体４４はハーネス５０を覆い隠す。また、外装カバー４が折り畳まれる時、帯状体４４は、ハーネス５０が折曲部４Ｃの前面に沿って軸線ＡＸ（図１参照）周りで曲がるようにハーネス５０を前方から押さえることで、曲げの向きを案内する。図示しないが、外装カバー４は、バッテリのカバー体を閉じた状態に支え、栞等の用途にも使用可能なバンド、電子ペン６のホルダ、資料等を収納可能なポケット等を備える。
【００２２】
図４〜図８を参照し、検出装置２Ｌ，２Ｒの構造について説明する。検出装置２Ｌ，２Ｒは、前述したように、公知の電磁誘導方式で、電子ペン６が近接した時に、その位置を検出することが可能な装置である。検出装置２Ｌ，２Ｒは、正面視で上下方向に長い矩形状であり、且つ前後方向の厚みが小さい箱状体である。
【００２３】
図４に示すように、検出装置２Ｒは、前カバー８Ｒおよび後カバー９Ｒを備える。前カバー８Ｒおよび後カバー９Ｒは、上下方向に長い略矩形状の樹脂板である。前述の位置決め部２１Ｒは、前カバー８Ｒの前面に設けられる。後述するデジタイザ基板７Ｒによる電子ペン６の近接位置の検出は、前カバー８Ｒの前面側にて行われる。前カバー８Ｒの前面を、便宜上、検出装置２Ｒの検出面とよぶ。前カバー８Ｒおよび後カバー９Ｒを組み合わせると、内部に収容空間を有する箱状体が形成される。
【００２４】
検出装置２Ｒは、前カバー８Ｒおよび後カバー９Ｒの間に、デジタイザ基板７Ｒと、制御基板７１Ｒと、メイン基板１０とを収容する。デジタイザ基板７Ｒは、電子ペン６の近接位置を検出するよう構成される。制御基板７１Ｒは、デジタイザ基板７Ｒに流す電流を制御するよう構成される。制御基板７１Ｒは、ハーネス５０が接続されるコネクタ部７３Ｒを備える。メイン基板１０には、情報入力装置１の制御を司るＣＰＵ（図示略）が搭載される。メイン基板１０は、電源スイッチ、発光素子、通信部など、各種スイッチ、コネクタ等の部品（図示略）を備える。これらの部品は、前カバー８Ｒの右上端部に設けられた収容部７９に収容される。メイン基板１０のＣＰＵは、近傍に位置するＰＣ等の外部装置（図示略）と無線や有線による通信が可能である。メイン基板１０は制御基板７１Ｒと電気的に接続する。制御基板７１Ｒは、デジタイザ基板７Ｒ後面の下端部に、デジタイザ基板７Ｒと一体に設けられる。
【００２５】
デジタイザ基板７Ｒは、Ｘ軸方向（具体的には左右方向）およびＹ軸方向（具体的には上下方向）の各々に細長いループコイルが多数配列された基板である。制御基板７１Ｒは、ループコイルの一本ずつに特定周波数の電流（励磁用送信電流）を流して磁界を発生させる。その結果、デジタイザ基板７Ｒに近接する電子ペン６の共振回路は、誘導磁界を生ずる。誘導磁界によってループコイルに電流（信号電流）が流れる。制御基板７１Ｒは、ループコイルに流れる信号電流を検出する。メイン基板１０のＣＰＵは、制御基板７１Ｒが検出した信号電流に基づいて電子ペン６の位置座標を経時的に求める。ＣＰＵは、位置座標に基づいて電子ペン６の軌跡を示すストロークデータを生成する。ＣＰＵは、ストロークデータを、情報入力装置１に接続された外部装置（ＰＣ等）に対して出力する。
【００２６】
検出装置２Ｌは、検出装置２Ｒと同様に、前カバー８Ｌおよび後カバー９Ｌを備える。前カバー８Ｌおよび後カバー９Ｌは、上下方向に長い略矩形状の樹脂板である。前述の位置決め部２１Ｌは、前カバー８Ｌの前面に設けられる。後述するデジタイザ基板７Ｌによる電子ペン６の近接位置の検出は、前カバー８Ｌの前面側にて行われる。前カバー８Ｌの前面を、便宜上、検出装置２Ｌの検出面とよぶ。詳細は図示しないが、前カバー８Ｌの左端部を除く上下両端部は、夫々、後面側に折り返した状態に形成される。後カバー９Ｌは、左端部を除く上下両端部に沿って形成された切欠き部を有する。切欠き部は、検出装置２Ｌの組み立て時に、前カバー８Ｌのうち後面側に折り返された部分に係合する。前カバー８Ｌおよび後カバー９Ｌを組み合わせると、内部に収容空間を有する箱状体が形成される。
【００２７】
検出装置２Ｌは、前カバー８Ｌおよび後カバー９Ｌの間に、デジタイザ基板７Ｌと、制御基板７１Ｌとを収容する。デジタイザ基板７Ｌは、電子ペン６の近接位置を検出するよう構成される。制御基板７１Ｌは、デジタイザ基板７Ｌに流す電流を制御するよう構成される。制御基板７１Ｌは、デジタイザ基板７Ｌの後面の下端部に、デジタイザ基板７Ｌと一体に設けられる。制御基板７１Ｌは、ハーネス５０が接続されるコネクタ部７３Ｌを備える。デジタイザ基板７Ｌおよび制御基板７１Ｌは、検出装置２Ｒのデジタイザ基板７Ｒおよび制御基板７１Ｒと同様の構成であり、公知の電磁誘導方式による電子ペン６の近接位置を検知することができる。デジタイザ基板７Ｌの右縁部、左上の角部および左下の角部には、静電気等からデジタイザ基板７Ｌを保護する絶縁部材７２が設けられる。
【００２８】
制御基板７１Ｒと制御基板７１Ｌとは、ハーネス５０によって接続される。ハーネス５０は、制御基板７１Ｒと制御基板７１Ｌとを電気的に接続するためのパターンが形成されたフレキシブル基板である。つまり、ハーネス５０は、複数の導電路が形成された可撓性を有する絶縁フィルムである。
【００２９】
後カバー９Ｌには、コネクタ部７３Ｒに対応する位置よりも上方の位置に、略矩形状の開口部９１が設けられる。開口部９１は左右方向に長い略矩形状である。後カバー９Ｌは、前面に、開口部９１の周囲に形成された凹部９６を有する。凹部９６内には、ハーネス５０を張った状態に維持する緊張部材６０が設けられる。後カバー９Ｒには、コネクタ部７３Ｒに対応する位置に、略矩形状の開口部９２が設けられる。開口部９１は開口部９２よりも左右方向に長い。ハーネス５０は、開口部９１，９２を介して検出装置２Ｒ，２Ｌ内の内部に配線される。ハーネス５０の一端側の端子部５１Ａは、検出装置２Ｒ内で制御基板７１Ｒのコネクタ部７３Ｒに接続される。ハーネス５０の他端側の端子部５４Ａは、検出装置２Ｌ内で制御基板７１Ｌのコネクタ部７３Ｌに接続される。端子部５１Ａと端子部５４Ａの間の一部分は、前後方向に二層に重なって折り畳まれた状態で配線される。緊張部材６０は、ハーネス５０が折り畳まれた部分に配置される。ハーネス５０および緊張部材６０の詳細については後述する。
【００３０】
上述のように、左カバー部４Ｌ（図１参照）は、検出装置２Ｌを左右方向にスライド可能に保持する。右カバー部４Ｒ（図１参照）は、検出装置２Ｒを固定する。即ち、外装カバー４は、開かれた状態において、検出装置２Ｌを、検出装置２Ｒに対して近接する方向および離間する方向に移動可能に保持する。言い換えると、検出装置２Ｌおよび検出装置２Ｒは、対向辺２５Ｌと対向辺２５Ｒとが互いに平行であり、且つ、対向辺２５Ｒに対し対向辺２５Ｌが近接する方向および離間する方向に移動可能な状態で、夫々、外装カバー４に保持および固定される。対向辺２５Ｌは、検出装置２Ｌの検出面（前面）の外縁を取り囲む辺のうち、検出装置２Ｒ側に位置する辺である。対向辺２５Ｒは、検出装置２Ｒの検出面（前面）の外縁を取り囲む辺のうち、検出装置２Ｌ側に位置する辺である。図３に示すように、対向辺２５Ｌが対向辺２５Ｒに対して近づき、検出装置２Ｌが検出装置２Ｒに対して近接した位置（図中二点鎖線で示す。）にある状態を、近接状態とよぶ。対向辺２５Ｌが対向辺２５Ｒから遠のき、検出装置２Ｌが検出装置２Ｒに対して離間した位置（図中一点鎖線で示す。）にある状態を、離間状態とよぶ。
【００３１】
図５、図６に示すように、ハーネス５０は、右側接続部５１、左側接続部５４、中間部５２、折り畳み部５３を含む。右側接続部５１は、ハーネス５０の一端に設けられた端子部５１Ａを含む。端子部５１Ａは、制御基板７１Ｒのコネクタ部７３Ｒ（図４参照）に、左側から差し込んで接続する。右側接続部５１は、端子部５１Ａから左方へ延びた位置で上方側へ向けて折れ曲がり、検出装置２Ｒの後面２６Ｒに沿って、検出装置２Ｒの上下方向における端部よりも中央に近い位置へ向けて上方へ延びる部位である。本実施形態では、右側接続部５１は、端子部５１Ａとは反対側の端部が、例えば両面粘着テープ５７で検出装置２Ｒの後面２６Ｒに接着される（図５参照）。
【００３２】
中間部５２は、右側接続部５１の端子部５１Ａとは反対側の端部から左方へ向けて延びる部位である。中間部５２は、検出装置２Ｒと検出装置２Ｌとの間を左右方向に繋ぐ部位である。中間部５２は、上下方向において対向辺２５Ｌ，２５Ｒの端部よりも中央に近い位置で、検出装置２Ｒと検出装置２Ｌとの間を繋ぐ。例えば、外装カバー４の開閉時などに、左カバー部４Ｌと右カバー部４Ｒに対して、左右方向を軸に前後方向に捻りが加わる場合がある。この時、検出装置２Ｒと検出装置２Ｌの上端部と下端部は、捻りによる引っ張り等の影響を受けやすい。中間部５２が、上端部または下端部ではなく、上下方向において端部よりも中央に近い位置に配置されるので、ハーネス５０には負荷がかかりにくい。
【００３３】
折り畳み部５３は、中間部５２の端部から左方へ延び、上下方向を軸に前方側へ曲がって１８０度折返し、右方へ向けて延びる部位である。ハーネス５０は、折り畳み部５３において検出装置２Ｌの外部側から後カバー９Ｌの開口部９１を前後方向に通過し、内部側に進入する。折り畳み部５３のうち、上下方向を軸に前方側へ曲がって１８０度折返す部位を、屈曲部５３Ａという。折り畳み部５３のうち、中間部５２の端部から屈曲部５３Ａまで左方へ延びる部分を、第一層部５３Ｂという。折り畳み部５３のうち、屈曲部５３Ａから左側接続部５４まで右方へ延びる部分を、第二層部５３Ｃという。第二層部５３Ｃは、デジタイザ基板７Ｌの後面側、且つ後カバー９Ｌの前面側に配置される。本実施形態では、第二層部５３Ｃは、デジタイザ基板７Ｌの後面に、例えば両面粘着テープ５８で接着される（図６参照）。第一層部５３Ｂは、検出装置２Ｌの後面２６Ｌ側に配置される。折り畳み部５３は、屈曲部５３Ａが円弧状に維持された状態で、前後方向に二層に重なって開口部９１内に配置される。屈曲部５３Ａは、折り畳み部５３においてハーネス５０の延びる方向が変化する部位である。屈曲部５３Ａの内周側には、緊張部材６０の案内部材６１に外嵌めされた筒部材６５（後述）が配置される。屈曲部５３Ａは、筒部材６５に当接することによって、円弧状の形状を維持する。屈曲部５３Ａは、検出装置２Ｌがスライダ８０によって左右方向へ移動することに伴い、無限軌道（履帯）ベルトのような変形を生ずる。
【００３４】
左側接続部５４は、折り畳み部５３の第二層部５３Ｃの端部に段状に接続し、右方へ延びた先で下方へ向けて折れ曲がり、下方へ延びた先でさらに左方へ折れ曲がる部位である。左側接続部５４は、折り畳み部５３と接続する端部とは反対側の端部に設けられた端子部５４Ａを含む。
【００３５】
前述したように、緊張部材６０は、後カバー９Ｌの凹部９６内に設けられ、ハーネス５０を張った状態に維持する部材である。緊張部材６０は、案内部材６１、一対の引張バネ６２および筒部材６５を備える。案内部材６１は、上下方向に延びる金属製で円柱状の棒材である。案内部材６１の長さは、開口部９１の上下方向の長さよりも長く、凹部９６の上下方向の長さよりも短い。案内部材６１は、凹部９６内で開口部９１を上下方向に跨ぐ位置に設けられる。案内部材６１は、ハーネス５０の折り畳み部５３において、屈曲部５３Ａの内周側に配置される。
【００３６】
案内部材６１の外周部には、筒部材６５が外嵌めされる。筒部材６５は、樹脂製で、案内部材６１の径方向周囲を取り囲む筒状の部材である。筒部材６５の上下方向の長さは、ハーネス５０の上下方向の長さ（幅）よりも長く、開口部９１の上下方向の長さよりも短い。筒部材６５は、案内部材６１の周囲を回転可能である。ハーネス５０の屈曲部５３Ａの内周面は、筒部材６５の外周面に当接する。
【００３７】
後カバー９Ｌの凹部９６には、一対の突起部９７が形成される。一方の突起部９７は、凹部９６内で、開口部９１の左側且つ上側の位置に設けられ、前方に突出する。他方の突起部９７は、凹部９６内で、開口部９１の左側且つ下側の位置に設けられ、前方に突出する。一対の引張バネ６２のうち一方の引張バネ６２の両端は、夫々、一方の突起部９７と案内部材６１の上端部とに掛け留められる。他方の引張バネ６２の両端は、夫々、他方の突起部９７と案内部材６１の下端部とに掛け留められる。一対の引張バネ６２は、案内部材６１の上端部および下端部を夫々左方に付勢する。なお、突起部９７の側面と案内部材６１の上端部および下端部の側面には、引張バネ６２の端部を掛け留めて外れを防止する溝部が形成されてもよい。
【００３８】
上述の構成のハーネス５０および緊張部材６０は、検出装置２Ｌが検出装置２Ｒに対して近接状態および離間状態の間で移動する時、以下のように動作する。検出装置２Ｌが検出装置２Ｒに対して近接状態（図３の二点鎖線参照）に移行する時、外装カバー４が開いた状態であれば、検出装置２Ｌは右方向に移動する。ハーネス５０の左側接続部５４は、端子部５４Ａ（図５参照）がコネクタ部７３Ｌに接続される。また、左側接続部５４は、端子部５４Ａとは反対側の端部に接続する折り畳み部５３の第二層部５３Ｃが、両面粘着テープ５８によって、デジタイザ基板７Ｌの後面に接着される。故に、左側接続部５４は、検出装置２Ｌの本体に対して位置決められる。ハーネス５０の右側接続部５１は、端子部５１Ａがコネクタ部７３Ｒに接続される。また、右側接続部５１は、端子部５１Ａとは反対側の端部が、両面粘着テープ５７によって、検出装置２Ｒの後面２６Ｒに接着される。故に、右側接続部５１は、検出装置２Ｒの本体に対して位置決められる。
【００３９】
検出装置２Ｌが検出装置２Ｒに対して近接するため、右側接続部５１および中間部５２は相対的に左方へ移動し、左側接続部５４は相対的に右方へ移動する。折り畳み部５３のうち、中間部５２に接続し、後側に位置する第一層部５３Ｂは、相対的に左方へ押圧される。左側接続部５４に接続し、前側に位置する第二層部５３Ｃは、相対的に右方へ引っ張られる。第一層部５３Ｂと第二層部５３Ｃとは、左右方向においてずれを生ずる。折り畳み部５３は、無限軌道ベルトのように、下方から見て時計回りに回動する。緊張部材６０の案内部材６１は、引張バネ６２によって左方に付勢される。屈曲部５３Ａは、案内部材６１に外嵌めされた筒部材６５によって、左方に押圧される。これにより、ハーネス５０の折り畳み部５３は、近接状態への移行時に、伸ばされた状態で回動する。従って、ハーネス５０には、折れ曲がり等の負荷がかからない。また、筒部材６５は、案内部材６１の径方向周囲で回転し、屈曲部５３Ａの回動を案内する。屈曲部５３Ａの内周面は、回動の過程で、筒部材６５の外周面に沿って屈曲し、円弧状を維持する。従って、緊張部材６０は、近接状態への移行時に、屈曲部５３Ａにかかる折れ曲がり等の負荷を軽減することができる。
【００４０】
検出装置２Ｌが検出装置２Ｒに対して離間状態（図３の一点鎖線参照）に移行する時、外装カバー４が開いた状態であれば、検出装置２Ｌは左方向に移動する。図７に示すように、検出装置２Ｌが検出装置２Ｒに対して離間するため、右側接続部５１および中間部５２は相対的に右方へ移動し、左側接続部５４は相対的に左方へ移動する。折り畳み部５３のうちの第一層部５３Ｂは、相対的に右方へ引っ張られる。第二層部５３Ｃは、相対的に左方へ押圧される。折り畳み部５３は、第一層部５３Ｂと第二層部５３Ｃとのずれに合わせ、無限軌道ベルトのように、下方から見て反時計回りに回動する。屈曲部５３Ａは、緊張部材６０によって、左方に押圧された状態に維持される。これにより、ハーネス５０の折り畳み部５３は、離間状態への移行時にも、伸ばされた状態で回動する。従って、ハーネス５０には、折れ曲がり等の負荷がかからない。また、屈曲部５３Ａは、筒部材６５の回転によって、回動が案内される。屈曲部５３Ａの内周面は、回動の過程で、筒部材６５の外周面に沿って屈曲することで、円弧状を維持する。従って、緊張部材６０は、離間状態への移行時にも、屈曲部５３Ａにかかる折れ曲がり等の負荷を軽減することができる。
【００４１】
このように、ハーネス５０が折り畳み部５３を有することで、情報入力装置１は、無限軌道ベルトのようにハーネス５０が折り返された状態を維持したまま、検出装置２Ｌを検出装置２Ｒに対して近接または離間させることができる。従って、情報入力装置１では、ハーネス５０が引き伸ばされたり押し縮められたりすることがなく、ハーネス５０にかかる負荷を軽減することができる。
【００４２】
ハーネス５０は、両面粘着テープ５７（図５参照），５８によって、右側接続部５１の端子部５１Ａとは反対側の端部と、折り畳み部５３の第二層部５３Ｃとが、夫々、検出装置２Ｒ，２Ｌの本体に固定される。検出装置２Ｌが検出装置２Ｒに対して近接または離間する時、ハーネス５０に押圧あるいは引っ張り等の外力が加わっても、両面粘着テープ５７，５８が屈曲部５３Ａの両端側にてハーネス５０を押さえる。従って、屈曲部５３Ａにおける無限軌道ベルト状の回動に伴う変形に、変動が生じにくい。故に、ハーネス５０の折り畳み部５３における回動を、安定して円滑に行うことができる。
【００４３】
そして、近接状態（図６参照）および離間状態（図７参照）において、屈曲部５３Ａは、緊張部材６０によって、左方に押圧された状態に維持される。即ち、近接状態および離間状態において、ハーネス５０の折り畳み部５３は、伸ばされた状態に維持されるので、情報入力装置１の使用時に弛むことがない。例えば情報入力装置１に外部から振動等の負荷が加えられた場合でも、折り畳み部５３は、開口部９１内に位置決めされ、検出装置２Ｌの本体やデジタイザ基板７Ｌに擦れたり打ち付けられたりしにくい。また、屈曲部５３Ａは、緊張部材６０の筒部材６５の外周面に沿って円弧状に維持される。故に、ハーネス５０は、近接状態および離間状態において、屈曲部５３Ａが鋭角に折れ曲がることがない。
【００４４】
また、屈曲部５３Ａは、検出装置２Ｌ，２Ｒに外部応力が加わらない状態においても、緊張部材６０によって左方に付勢された状態に維持される。このため、折り畳み部５３の第一層部５３Ｂと第二層部５３Ｃは、夫々左方へ引っ張られる。第二層部５３Ｃは、両面粘着テープ５８によって緊張部材６０が設けられた検出装置２Ｌに固定される。故に、第一層部５３Ｂを介し、検出装置２Ｒが検出装置２Ｌ側に引っ張られる。即ち、外部応力が加わらない状態において、検出装置２Ｌ，２Ｒは、近接状態に移行し、近接状態を維持することができる。
【００４５】
このような構成のハーネス５０および緊張部材６０を設けることで、情報入力装置１は、検出装置２Ｌを検出装置２Ｒに対して近接する方向または離間する方向に移動することができる。ユーザが情報入力装置１にノート５を装着する時、検出装置２Ｌに外部応力が加えられなければ、検出装置２Ｌ，２Ｒは近接状態となる。ノート５の左表紙５Ｌは、保持シート４１Ｌの右辺側から挿入され、検出装置２Ｌの位置決め部２１Ｌに配置される。ノート５の左表紙５Ｌは、接着部２２Ｌにより位置決め部２１Ｌに固定される。検出装置２Ｌ，２Ｒが近接状態の場合、位置決め部２１Ｌの右辺近傍に設けた接着部２２Ｌは、保持シート４１Ｌから露出される。よって、ユーザは、左表紙５Ｌを位置決め部２１Ｌに装着しやすい。
【００４６】
次にノート５の右表紙５Ｒが、検出装置２Ｒの位置決め部２１Ｒに配置される。この時、ユーザは、検出装置２Ｌをノート５と共に左右方向に移動することができる。スライダ８０が検出装置２Ｌの上下方向略中央に位置するので、検出装置２Ｌは、左方への移動時に検出装置２Ｒに対して上下方向において斜めに傾きにくく、スムーズに移動することができる。よって、ユーザは、ノート５の右表紙５Ｒを容易に位置決め部２１Ｒに配置することができる。ノート５の右表紙５Ｒが接着部２２Ｒによって位置決め部２１Ｒに固定されることで、ノート５の装着が完了する。
【００４７】
以上説明したように、緊張部材６０は、案内部材６１でハーネス５０の折り畳み部５３の屈曲を案内しながら、引張バネ６２で案内部材６１を付勢することで、折り畳み部５３を中間部５２の延びる方向に張った状態に維持することができる。折り畳み部５３は、屈曲部５３Ａにおいて折り返されるように案内部材６１によって案内され、屈曲部５３Ａ以外で屈曲することが抑制される。従って情報入力装置１は、ハーネス５０が屈曲部５３Ａ以外で屈曲したり、検出装置２Ｌと左カバー部４Ｌの間で挟まれたり引っ掛かったりすることを防止でき、検出装置２Ｒと検出装置２Ｌの近接および離間をスムーズに行うことができる。
【００４８】
また、屈曲部５３Ａは、緊張部材６０によって、中間部５２の延びる方向のうち中間部５２から離れる方向に付勢される。即ち、中間部５２を挟んで折り畳み部５３とは反対側の右側接続部５１に接続する検出装置２Ｒは、緊張部材６０によって、ハーネス５０を介して検出装置２Ｌに引きつけられる方向に付勢される。このため、例えば検出装置２Ｒの前カバー８Ｒの前面に設けた位置決め部２１Ｒにノート５の右表紙５Ｒを配置する途中において、位置決め部２１Ｒが検出装置２Ｌに対して移動してしまい、右表紙５Ｒの位置決めがしにくくなることがない。
【００４９】
案内部材６１が円柱状であるので、屈曲部５３Ａは、屈曲の内周側の面を案内部材６１の外周面に案内させて円弧状を維持しながらスムーズに変形することができる。よってハーネス５０は、折り畳み部５３において無限軌道ベルト状にスムーズに回動でき、検出装置２Ｒと検出装置２Ｌの近接および離間に応じた変形の追従性を確保できる。従って情報入力装置１は、検出装置２Ｒと検出装置２Ｌの近接および離間をスムーズに行うことができる。
【００５０】
筒部材６５は、屈曲部５３Ａにおける屈曲の内周側の面に当接し、案内部材６１の径方向周囲を回転することができる。この構成によって、屈曲部５３Ａは、案内部材６１との摩擦が少ないので、円弧状を維持しながらスムーズに変形することができる。よってハーネス５０は、折り畳み部５３において無限軌道ベルト状にスムーズに回動でき、検出装置２Ｒと検出装置２Ｌの近接および離間に応じた変形の追従性を確保できる。従って情報入力装置１は、検出装置２Ｒと検出装置２Ｌの近接および離間をスムーズに行うことができる。
【００５１】
上述の実施形態に対して、種々の変更が可能である。検出装置２Ｌ，２Ｒは、公知の電磁誘導方式で電子ペン６の位置を検出するが、抵抗膜方式（いわゆる感圧式）、静電容量方式等、その他の方式を用い、検出対象体の検出装置２Ｌ，２Ｒへの近接または接触を検出してもよい。ノート５のサイズ、フォーマット、材質などは、上記実施形態に限定されない。ノート５を検出装置２Ｌ，２Ｒに取り付ける方法は、上記実施形態で例示された方法に限定されない。
【００５２】
凹部９６を後カバー９Ｌの上下方向の中央位置に設けることで、ハーネス５０の中間部５２を、検出装置２Ｌ，２Ｒの上下方向の中央位置に配置してもよい。この場合、スライダ８０を凹部９６の左方の位置に設けてもよいし、或いは凹部９６の上側と下側の位置に夫々設けてもよい。スライダ８０と外装カバー４とは、突起部８１と鳩目穴４３を用いた係合ではなく、その他の方法で係合されてもよい。例えば、ネジ、リベット、ステープル、フック、縫製など、その他の方法が採用されてもよい。
【００５３】
ハーネス５０は、両面粘着テープ５７，５８に限らず、例えば、接着剤やクリップ等によって、後カバー９Ｒおよびデジタイザ基板７Ｌに固定されてもよい。筒部材６５は、なくてもよい。緊張部材６０は、引張バネ６２によって案内部材６１を左方に付勢したが、板バネ、圧縮バネ等、その他のバネ部材によって案内部材６１を左方に付勢してもよいし、ゴム、可撓性の板材等、その他の付勢部材によって、案内部材６１を左方に付勢してもよい。
【００５４】
また、図８に示す、緊張部材１６０のように、案内部材１６１が弾性的に撓み、折り畳み部５３の屈曲部５３Ａを左方に付勢してもよい。案内部材１６１は、例えば、上下方向に延び、可撓性で弾性を有する円柱状の棒材である。案内部材１６１の長さは、開口部９１の上下方向の長さよりも長く、凹部９６の上下方向の長さよりも短い。凹部９６には、開口部９１の上側および下側の位置に、一対の固定部１６３を設ける。固定部１６３は、夫々、案内部材１６１の両端を凹部９６内に固定する。案内部材１６１は、凹部９６内で開口部９１を上下方向に跨ぐ位置に設けられる。案内部材１６１は、ハーネス５０の折り畳み部５３において、屈曲部５３Ａの内周側に配置される。案内部材１６１の外周部には、本実施形態と同様に、筒部材１６５が外嵌めされる。筒部材１６５は、案内部材１６１の周囲を回転可能である。ハーネス５０の屈曲部５３Ａの内周面は、筒部材６５の外周面に当接する。このような構成の緊張部材１６０を用いても、本実施形態と同様に、近接状態または離間状態への移行時に、ハーネス５０の折り畳み部５３を伸ばした状態で回動させることができる。また、筒部材１６５は、なくてもよい。
【００５５】
この構成において、案内部材１６１が円柱状であるので、屈曲部５３Ａは、屈曲の内周側の面を案内部材１６１の外周面に案内させて円弧状を維持しながらスムーズに変形することができる。よってハーネス５０は、折り畳み部５３において無限軌道ベルト状にスムーズに回動でき、検出装置２Ｒと検出装置２Ｌの近接および離間に応じた変形の追従性を確保できる。従って情報入力装置１は、検出装置２Ｒと検出装置２Ｌの近接および離間をスムーズに行うことができる。また、案内部と付勢部を案内部材１６１、即ち一つの部材で作製できる。
【００５６】
なお、電子ペン６が、本発明の「筆記具」に相当する。検出装置２Ｒ、検出装置２Ｌが、夫々、「第一検出装置」、「第二検出装置」に相当する。後面２６Ｒ、後面２６Ｌが、夫々、「第一裏面」、「第二裏面」に相当する。右カバー部４Ｒ、左カバー部４Ｌが、夫々、「第一保持部」、「第二保持部」に相当する。外装カバー４が「連結部材」に相当する。制御基板７１Ｒ、制御基板７１Ｌが、夫々、「第一回路部」、「第二回路部」に相当する。ハーネス５０が「接続線」に相当する。右側接続部５１、左側接続部５４が、夫々、「第一接続部」、「第二接続部」に相当する。案内部材６１が「案内部」に相当する。引張バネ６２が「付勢部」に相当する。
【符号の説明】
【００５７】
１                          情報入力装置
２Ｌ，２Ｒ                  検出装置
４                          外装カバー
４Ｃ                        折曲部
４Ｌ                        左カバー部
４Ｒ                        右カバー部
５                          ノート
５Ｌ                        左表紙
５Ｒ                        右表紙
６                          電子ペン
８Ｌ，８Ｒ                  前カバー
２１Ｌ，２１Ｒ              位置決め部
２６Ｌ，２６Ｒ              後面
５０                        ハーネス
５１                        右側接続部
５１Ａ                      端子部
５２                        中間部
５３                        折り畳み部
５３Ａ                      屈曲部
５３Ｂ                      第一層部
５３Ｃ                      第二層部
５４                        左側接続部
５４Ａ                      端子部
６０，１６０                緊張部材
６１，１６１                案内部材
６２                        引張バネ
６５，１６５                筒部材
７１Ｌ，７１Ｒ              制御基板
【図１】
2016146006.tif 000003
【図２】
2016146006.tif 000004
【図３】
2016146006.tif 000005
【図４】
2016146006.tif 000006
【図５】
2016146006.tif 000007
【図６】
2016146006.tif 000008
【図７】
2016146006.tif 000009
【図８】
2016146006.tif 000010